(57)【要約】【課題】一度開封した後も何度でも簡単に閉止することが可能でありながら、閉蓋姿勢において該突起と嵌合凹部を密着嵌合させることができる食品包装用容器の提供をすること。【解決手段】合成樹脂製シート素材を膨出成形させ、容器本体１と蓋体２とが折り曲げ部３を介して一体的に連結成形されている食品包装用容器であって、前記容器本体１と蓋体２との何れか一方に突起４が、何れか他方に該突起４を受け入れる嵌合凹部５が形成され、さらに前記突起４または嵌合凹部５の周辺部に凸部６が形成され、前記突起４は先端へ向かう途中に最大幅となる部分４１を有し、同じく前記嵌合凹部５も深部に向かう途中に最大幅となる部分５１を有し、閉蓋姿勢において、前記突起４と嵌合凹部５とが相対嵌合し、且つ前記凸部６が、前記突起４と嵌合凹部５が密着嵌合する位置に引き離す作用をなす構造としたものである。【選択図】        図１
2004323056.tif 000002
【特許請求の範囲】
【請求項１】
合成樹脂製シート素材を膨出成形させ、容器本体（１）と蓋体（２）とが折り曲げ部（３）を介して一体的に連結成形されている食品包装用容器であって、前記容器本体（１）と蓋体（２）との何れか一方に突起（４）が、何れか他方に該突起（４）を受け入れる嵌合凹部（５）が形成され、さらに前記突起（４）または嵌合凹部（５）の周辺部に凸部（６）が形成され、前記突起（４）は先端へ向かう途中に最大幅となる部分（４１）を有し、同じく前記嵌合凹部（５）も深部に向かう途中に最大幅となる部分（５１）を有し、閉蓋姿勢において、前記突起（４）と嵌合凹部（５）とが相対嵌合し、且つ前記凸部（６）が、前記突起（４）と嵌合凹部（５）が密着嵌合する位置に引き離す作用をなす構造とされている食品包装用容器。
【発明の詳細な説明】
【０００１】
【発明の属する技術分野】
本発明は、合成樹脂製シート素材を膨出成形させ、容器本体と蓋体とが折り曲げ部を介して一体的に連結成形されており、野菜、果物、菓子、鶏卵等の食品を収容することができる食品包装用容器に関するものである。
【０００２】
【従来の技術】
かかる合成樹脂製シート素材を膨出成型させてなる食品包装用容器は一般に周知である。従来、この食品包装用容器は、購入後開封して一部の食品を取り出した後に残りを保存する場合に、再び容器を閉蓋状態とするためには、蓋体を折り曲げ部の位置で折り曲げて容器本体の上から被せ、重なり合った容器本体の遊端側の外周縁部と蓋体の遊端側の外周縁部とをホッチキスで止める、あるいは容器全体に輪ゴムをかける等して閉止するという手間がかかる作業を要していた。
【０００３】
かかる状況に鑑み、一度開封した容器を何度でも簡単に閉止することができる手段の１つとして、図６に示すように容器本体１と蓋体２との何れか一方に突起４を、何れか他方に該突起４を受け入れる嵌合凹部５を形成し、閉蓋姿勢において、前記突起４と嵌合凹部５とが相対嵌合する構造とされている食品包装用容器が開発され、本願出願人も過去においてこの種の出願を行い公知となっている。（特願２００１−０３０３７９等）
【０００４】
【発明が解決しようとする課題】
しかしながら、容器本体１と蓋体２との何れか一方に突起４を、何れか他方に該突起４を受け入れる嵌合凹部５を形成する容器の閉止手段の中には、例えば、図７に示すように、先端へ向かう途中に最大幅となる部分４１を有する突起４と、深部に向かう途中に最大幅となる部分５１を有する嵌合凹部５とで形成され、更に、該突起４の最大幅となる部分４１の幅が該嵌合凹部５の開口部７の幅よりも大きい構造とされ、閉蓋姿勢において、該突起４と嵌合凹部５が相対嵌合する構造とされているものがある。
【０００５】
この種の閉止手段では、閉蓋時に、蓋体２を折り曲げ部３の位置で折り曲げて容器本体１の上から被せ、前記突起４を嵌合凹部５に嵌合させるに際して、嵌合凹部５の開口部７を弾力的に押し広げるようにして突起４を嵌合凹部５に嵌入させるものであるが、図８に示すように、嵌入の勢いで、容器本体１と蓋体２の遊端側周縁部どうしが接当して、該突起４が嵌合凹部５に深く入り込んでしまい、該突起４の側面４２と嵌合凹部５の凹部内面５２の間に空隙が生じ、該突起４と嵌合凹部５が密着嵌合せず、嵌合状態が不安定で容器ががたつくという問題を有していた。またその結果、嵌合部分の突起４と嵌合凹部５にかかる負荷が大きくなるという問題を有していた。
【０００６】
そこで本発明は、容器本体と蓋体との何れか一方に突起を、何れか他方に該突起を受け入れる嵌合凹部を形成する食品包装用容器の閉止手段を対象として、一度開封した後も何度でも簡単に閉止することが可能でありながら、閉蓋姿勢において該突起と嵌合凹部を密着嵌合させることができる食品包装用容器の提供を目的とする。
【０００７】
【課題を解決するための手段】
この課題を解決するために講じた本発明にいう食品包装用容器は、合成樹脂製シート素材を膨出成形させ、容器本体１と蓋体２とが折り曲げ部３を介して一体的に連結成形されている食品包装用容器であって、前記容器本体１と蓋体２との何れか一方に突起４が、何れか他方に該突起４を受け入れる嵌合凹部５が形成され、さらに前記突起４または嵌合凹部５の周辺部に凸部６が形成され、前記突起４は先端へ向かう途中に最大幅となる部分４１を有し、同じく前記嵌合凹部５も深部に向かう途中に最大幅となる部分５１を有し、閉蓋姿勢において、前記突起４と嵌合凹部５とが相対嵌合し、且つ前記凸部６が、前記突起４と嵌合凹部５が密着嵌合する位置に引き離す作用をなす構造としたものである。
【０００８】
【発明の実施の形態】
本発明を実施するに当たって、前記構成中にいう前記容器本体１と蓋体２との何れか一方に形成される前記突起４は、先端へ向かう途中に最大幅となる部分４１を有することを必須の要件として、略かまぼこ型、略どんぐり型、略円柱型、略方形型等の形状で実施することができる。一方、何れか他方に形成される前記嵌合凹部５は、深部に向かう途中に最大幅となる部分５１を有することを必須の要件として、閉蓋姿勢において前記突起４と相対嵌合し、且つ前記凸部６によって前記突起４と嵌合凹部５が引き離されたときに両者が密着嵌合することができる、大きさと形状で実施することができる。
【０００９】
また、前記構成中にいう前記突起４または嵌合凹部５の周辺部に形成される凸部６は、前記突起４と嵌合凹部５が密着嵌合する位置に引き離すという作用効果が得られることを必須の要件として、半球状、方形状、円柱状、角錐状等、様々な形状で実施することができる。
【００１０】
前記容器本体１と蓋体２の成形にあたっては、従来から用いられているＰＥＴ（ポリエチレンテレフタレート）等の合成樹脂製シート素材を用いてブロー成形手段またはバキューム成形手段を用いて所定の形状を付与して行う。
【００１１】
【実施例】
以下本発明の詳細を図に示した実施例に基づき説明する。図１乃至図４は本発明の第１実施例の食品包装用容器を示した図である。図１は容器の開蓋状態の斜視図、図２乃至図４は同閉蓋時および閉蓋状態における嵌合部分の拡大端面図である。
【００１２】
該実施例に示した食品包装用容器は、一般に周知であるようにポリエチレンテレフタレート製シート素材を膨出成形させ、容器本体１と蓋体２とを折り曲げ部３を介して一体的に連結成形したミニトマト包装用容器である。
【００１３】
而して、図１に示したように、前記蓋体２の遊端側周縁部の両角近辺に１つずつ前記突起４が形成され、前記容器本体１の遊端側周縁部の相対する位置には前記突起４を受け入れる嵌合凹部５が２箇所形成されている。また、前記２箇所の嵌合凹部５にそれぞれ両脇に１つずつ凸部６が形成されている。
【００１４】
該突起４と嵌合凹部５の形状は図２に示したように略かまぼこ状とされ、閉蓋姿勢において嵌合凹部５が突起４を受け入れることができ、且つ、突起４は先端へ向かう途中に最大幅となる部分４１を有し、嵌合凹部５は深部に向かう途中に最大幅となる部分５１を有し、更に、該突起４の最大幅となる部分４１の幅が該嵌合凹部５の開口部７の幅よりも大きい構造とされている。
【００１５】
次いで、蓋体２を折り曲げ部の位置で折り曲げて容器本体１の上から被せ、閉蓋姿勢を形成するにあたって、嵌合部分の作用状態を図２乃至図４に示した嵌合部分の拡大端面図を用いて説明する。
【００１６】
まず、図２に示した状態から突起４を嵌合凹部５に嵌入させるに際して、突起４は先端へ向かう途中に最大幅となる部分４１を有する構造とし、最大幅となる部分４１の幅は、該嵌合凹部５の開口部７の幅よりも大きい構造とされているので、嵌合部分に押圧をかけて、嵌合凹部５の開口部７を弾力的に押し広げるようにして突起４を嵌合凹部５に嵌入させることができる。一方、嵌合凹部５は深部に向かう途中に最大幅となる部分５１を有する。すなわち、嵌合凹部５の深部は最大幅となる部分５１よりも小さい幅で形成されているので、前記突起４によって嵌合凹部５の開口部７が弾力的に押し広げられる作用が支障なく行われる。
【００１７】
そして、図３に示すように、嵌入後いったんは、嵌合凹部５の開口部７を弾力的に押し広げるようにして嵌入させた勢いで、突起４が嵌合凹部５に深く入り込んでしまうが、凸部６によって容器本体１と蓋体２の遊端側周縁部どうしが接当することが妨げられて、すぐに突起４は嵌合凹部５から弾力的に引き離される。引き離された突起４は、最大幅となる部分４１が嵌合凹部５の開口部７よりも大きい構造とされているため、図４に示したように、引き離された勢いで嵌合凹部５から抜けることがなく、且つ、該突起４の側面４２が嵌合凹部５の凹部内面５２に引っかかって係止する。これにより、突起４と嵌合凹部５の密着嵌合状態が形成される。
【００１８】
図５は本発明の第２実施例の食品包装用容器の開蓋状態の斜視図である。該食品包装用容器は、容器本体１と蓋体２とが折り曲げ部３を介して一体的に連結成形されている鶏卵包装容器であって、容器本体１には鶏卵の下半部を収容する鶏卵収容凹部１１が、蓋体２には鶏卵の上半部を収容する鶏卵収容凹部２１が、それぞれ２列３段に形成されている。
【００１９】
而して、図５に示したように、蓋体２の遊端側周縁部の中間地点に突起４が形成され、容器本体１には該突起を受け入れる嵌合凹部５が閉蓋時に相対嵌合する位置に形成され、そして該嵌合凹部５の両脇に１つずつ凸部６が形成されている。閉蓋姿勢における突起４と嵌合凹部５および凸部６の作用効果は第１実施例と同様である。
【００２０】
以上本発明の代表的と思われる実施例について説明したが、本発明は必ずしもこれらの実施例構造のもののみに限定されるものではない。例えば、本発明は前記実施例で挙げた食品包装用容器に限らず、果物、菓子等、さまざまな食品包装用容器に応用することができ、また、突起４と嵌合凹部５の相対的な構造は、閉蓋姿勢において相対嵌合し、且つ、凸部６によって両者が引き離されたときに互いに密着嵌合するものであればよく、その他本発明にいう前記の構成要件を備え、且つ、本発明にいう目的を達し、以下にいう効果を有する範囲内において適宜改変して実施することができるものである。
【００２１】
【発明の効果】
本発明は以上の説明から既に明らかなように、本発明にいう食品包装用容器は、容器本体と蓋体との何れか一方に突起を、何れか他方に該突起を受け入れる嵌合凹部を形成し、前記突起は先端へ向かう途中に最大幅となる部分を有し、同じく前記嵌合凹部も深部に向かう途中に最大幅となる部分を有し、閉蓋姿勢において相対嵌合する食品包装用容器を対象として、前記突起または嵌合凹部の周辺部に凸部が形成された構造としたものであるから、従来のように、一度開封した後も何度でも簡単に閉止することが可能でありながら、突起と嵌合凹部が密着嵌合されるので、嵌合状態が安定し、容器本体と蓋体ががたつくことがなく、且つ、突起と嵌合凹部に余計な負荷がかかることがないという効果が得られる。
【００２２】
また、突起または嵌合凹部の周辺部に形成される凸部は、嵌合部分の周辺の部分を強固にする役割も果たすので、突起の嵌合凹部への嵌入がスムーズになされるという付随的な効果も得られる。
【図面の簡単な説明】
【図１】第１実施例の開蓋状態の斜視図
【図２】同、嵌入前の嵌合部分の拡大端面図
【図３】同、嵌入直後の嵌合部分の拡大端面図
【図４】同、嵌入後の嵌合部分の拡大端面図
【図５】第２実施例の開蓋状態の斜視図
【図６】従来例の開蓋状態の斜視図
【図７】同、嵌入前の嵌合部分の拡大端面図
【図８】同、嵌入後の嵌合部分の拡大端面図
【符号の説明】
１  容器本体
２  蓋体
３  折り曲げ部
４  突起
４１  突起の最大幅となる部分
５  嵌合凹部
５１  嵌合凹部の最大幅となる部分
６  凸部
【図１】
2004323056.tif 000003
【図２】
2004323056.tif 000004
【図３】
2004323056.tif 000005
【図４】
2004323056.tif 000006
【図５】
2004323056.tif 000007
【図６】
2004323056.tif 000008
【図７】
2004323056.tif 000009
【図８】
2004323056.tif 000010